(57)【要約】      （修正有）【課題】生産性を向上させた電子機器収納容器を提供する。【解決手段】電子機器を取り付ける平面状の電子機器取り付けスペースと、平面の外周部にパッキン溝４と、を有するベース１と、パッキン溝４に対応して嵌め込まれる防水パッキン５と、ベース１の平面側と勘合して電子機器を収容するケース１１と、を備え、平面状の電子機器取り付けスペースに電子機器をネジ止めし、平面の外周上に備えられたパッキン溝４に対応する防水パッキン５を嵌め込み、電子機器を収容するケース１１をベース１の平面側と勘合させてネジ止めする。【選択図】図４
2010147208.tif 000002
【特許請求の範囲】
【請求項１】
電子機器を取り付ける平面状の電子機器取り付けスペースと、前記平面の外周部にパッキン溝と、を有するベースと、
前記パッキン溝に対応して嵌め込まれる防水パッキンと、
前記ベースの平面側と勘合して前記電子機器を収容するケースと、を備えることを特徴とする電子機器収納容器。
【請求項２】
前記電子機器は、前記電子機器取り付けスペースの略中央に取り付けられることを特徴とする請求項１記載の電子機器収納容器。
【請求項３】
前記ケースは、板金溶接の一体構造であることを特徴とする請求項１又は２記載の電子機器収納容器。
【請求項４】
前記ケースは、開閉可能な扉を有することを特徴とする請求項１から３のいずれか１項に記載の電子機器収納容器。
【請求項５】
前記扉は、水分の侵入を防止するための防水パッキンを有することを特徴とする請求項４記載の電子機器収納容器。
【請求項６】
前記ベースは、前記平面側との対面側に放熱フィンを有することを特徴とする請求項１から５のいずれか１項記載の電子機器収納容器。
【請求項７】
平面状の電子機器取り付けスペースに電子機器をネジ止めし、
前記平面の外周部に備えられたパッキン溝に対応する防水パッキンを嵌め込み、
前記電子機器を収容するケースを前記ベースの平面側と勘合させてネジ止めすることを特徴とする電子機器収納容器の組立方法。
【発明の詳細な説明】
【技術分野】
【０００１】
本発明は、組立性を向上させた電子機器収納容器及びその組立方法に関する。
【背景技術】
【０００２】
携帯電話機システムは、所定の大きさのエリアごとに屋外に基地局装置が設置され、無線通信が行われている。また、基地局装置は、加入者の増加に伴い、設置する装置の台数の増加が予想され、装置の生産性向上、小型・軽量化が所望されている。
【０００３】
例えば、特許文献１に記載の携帯電話機の基地局ユニットは、複数のケーシング片を互いに接合して構成し、ケーシング片の接合部には、複数本のシールドパッキンを介在して携帯電話機の基地局装置を構成している。
【０００４】
また、特許文献２には、周囲にＯリングを備えるための溝を設けたベースプレートについて記載されている。
【０００５】
また、特許文献３には、平らな基板上の中央に電子機器を設置し、周囲を金網を介した容器で覆った電子機器の収納容器について記載されている。
【０００６】
また、特許文献４には、板金を溶接して箱形に形成されるフルフェイス状カバーを有する電子機器の収容容器について記載されている。
【０００７】
また、特許文献５には、蓋及び開口部の縁に沿う溝を備え、溝内にパッキンを設けた基地局装置について記載されている。
【特許文献１】特開平１０−０２２９００号公報
【特許文献２】実公平０６−０００４５９号公報
【特許文献３】実開平０２−１１８９８０号公報
【特許文献４】特開２００６−０３２５８１号公報
【特許文献５】特開平１１−１２１９４１号公報
【発明の開示】
【発明が解決しようとする課題】
【０００８】
しかしながら、特許文献１に記載の基地装置では、複数のケーシング片を互いに接合して構成され、ケーシング片の接合部には、複数本のシールドパッキンを介在し、携帯電話機の基地局ユニットを構成しているため、装置の組み立てに時間がかかってしまい、生産性が悪い。
【０００９】
さらに、複数のケーシング片を互いに接合して構成され、各々のケーシングに放熱フィンが突設されているため、装置の占有体積が大きい。
【００１０】
また、特許文献２に記載の技術では、シール面が電子機器設置部より高く、基体が器状（凹形状）の構造となっているため、小型化した場合などには回路基板などの回路モジュールの取り付けが困難となってしまうことがある。
【００１１】
そこで本発明は、上記問題点に鑑みてなされたもので、生産性を向上させた電子機器収納容器を提供することを目的とする。
【課題を解決するための手段】
【００１２】
上記課題を解決するため、本発明における電子機器収納容器は、電子機器を取り付ける平面状の電子機器取り付けスペースと、平面の外周部にパッキン溝と、を有するベースと、パッキン溝に対応して嵌め込まれる防水パッキンと、ベースの平面側と勘合して電子機器を収容するケースと、を備えることを特徴とする。
【００１３】
また、本発明における電子機器収納容器の組立方法は、平面状の電子機器取り付けスペースに電子機器をネジ止めし、平面の外周部に備えられたパッキン溝に対応する防水パッキンを嵌め込み、電子機器を収容するケースをベースの平面側と勘合させてネジ止めすることを特徴とする。
【発明の効果】
【００１４】
本発明により、平面なベースプレートの外周にパッキン溝を設けることで、電子機器の取り付けを容易にし、生産性を向上させ、小型化を実現することが可能となる。
【発明を実施するための最良の形態】
【００１５】
次に、発明を実施するための最良の形態について図面を参照して詳細に説明する。
【００１６】
図１は本発明の実施形態における基地局装置の外観を示す斜視図である。図２は装置側面図、図３は装置下面図、図４は装置の分解斜視図をそれぞれ示す。また、図５は装置のメンテナンス扉を開放した状態を示す図である。
【００１７】
図１、及び図２に示すように、本基地局装置は、ベースプレート１と、取り付け金具７と、ケース１１と、メンテナンス扉２１と、を有して構成される。
【００１８】
また、図３に示すようにケース１下面には、アンテナ（図示せず）と接続したり、電源を供給したりするコネクタ１２を有する。
【００１９】
ベースプレート１は、取り付け金具７側に放熱フィン３を有し、対面側には平面形状であるベース平面２を有する。また、平面形状のベース平面２の外周には、防水パッキン５を埋め込むパッキン溝４が設けられる。ベースを平面形状にして外周にパッキン溝を備えることで、装置を小型化した場合における電子回路ユニットの取り付けもスムーズに行うことが可能となっている。
【００２０】
防水パッキン５は、パッキン溝４に挿入した時、ベース平面２より少し飛び出す太さの環状形状であり、ケース１１をベースプレート１にネジ止めした場合に、飛び出た部分がつぶれることにより、ベースプレート１とケース１１の防水性を保つ。
【００２１】
電子回路ユニット６は、ベースプレート１のベース平面２に直接ネジ止めされる構造であり、内部から発生する熱をベースプレート１に伝達し、ベースプレート１のベース平面２対面側に備えられた放熱フィン３から効率よく放熱される。
【００２２】
また、ケース１１は、板金溶接の一体構造で構成され、電子回路ユニット６を保護する機能と、防水パッキン５を挟み込んで、ベースプレート１にネジ止めすることにより、装置内部への水の浸入を防ぐ、防水機能を有する。
【００２３】
さらに、ケース１１の凸面部には、電子回路ユニット６の調整や、動作状態を確認するためのメンテナンス扉２１とメンテナンス窓１３を有し、メンテナンス扉２１を取り付けるための蝶番１５が設けられる。また、メンテナンス窓１３には、メンテナンスプレート１４がネジ止めされている。
【００２４】
図５に詳細に示すように、メンテナンス扉２１は、板金溶接の一体構造で構成され、ケース１１に取り付けられた、蝶番１５により開閉できる構造である。普段は２本の扉用ネジ２４でケース１１に固定されている。装置の調整またはメンテナンス時は、扉用ネジ２４を緩め、メンテナンス扉２１を開放する。なお、扉用ネジ２４はメンテナンス扉２１から脱落しない構造になっていて、紛失することはない。
【００２５】
メンテナンス扉２１の上部には、ケース１１から流れ落ちてくる水分などの浸入を防止する、棒状の扉用一次パッキン２２を有し、また、メンテナンス窓１３に水分などの侵入を防止する、環状の扉二次パッキン２３を有する。また、装置内の圧力と外気圧との間に差が生じないように、呼吸穴２５を有し、呼吸穴には例えばゴアテックス（登録商標）などの通気性は有するが水分は通さない、微孔性キャップ２６が備えられる。
【００２６】
取り付け金具７は、屋外に装置を取り付けるためのもので、取り付け穴８を有してベースプレート１にネジで固定される。
【００２７】
次に、基地局装置の組立手順について詳細に説明する。本手順に従った組立を行うことで、生産性の向上（装置の組立性向上）し、且つ、占有体積の小さな基地局装置を得ることが可能となる。なお、電子回路ユニット６は別工程にて組み立てられ、完成品として用意される。
【００２８】
メンテナンス扉２１の組立においては、メンテナンス扉２１の内側に、扉用一次パッキン２２、及び扉用二次パッキン２３を接着剤にて固定する。また、２本の扉固定用ネジ２４をメンテナンス扉２１に取り付ける。その後、ケース１１に取り付けられた蝶番１５にネジで固定する。
【００２９】
ケース１１の組立においては、ケース１１の下面に、アンテナ（図示省略）と接続したり、電源を供給したりするためのコネクタ１２を取り付ける。なお、コネクタ１２は防水構造を有しており、ケース１１の下面から水が浸入することはない。
【００３０】
コネクタ１２には電子回路ユニット６と接続するための配線、及び接続コネクタ（図示省略）が付属されているため、ケース１１をベースプレート１にネジ止めする時に、配線や接続コネクタを挟み込む可能性がある。これを防止するため、メンテナンスプレート１４をはずした状態で、メンテナンス窓１３から、配線や接続コネクタ先端を引き出した状態にする。また、蝶番１５をねじ止めし、後に蝶番１５にメンテナンス扉２１を取り付ける。
【００３１】
以上で各ユニットにおける準備が整うことになり、続いて装置本体を組み立てる。なお、本装置を屋外に設置するときは、図１のように縦置きに設置されるが、組み立てのときは、図４のように、横置きできる構造にしてあり、ネジ止め作業が一方向からでき、組み立て作業を容易にしている。
【００３２】
最初に、取り付け金具７の上に、ベースプレート１を載せる。次に、電子回路ユニット６をベース平面２にネジ止めする。次に、防水パッキン５をベースプレート１のパッキン溝４に挿入する。次に、ケース１１をベースプレート１の上に載せ、ケース１１とベースプレート１および取り付け金具７をネジで固定する。次に、メンテナンス窓１３から引き出されている、接続コネクタを電子回路ユニット６に接続し、メンテナンスプレート１４をネジ止めする。その後、メンテナンス扉２１を閉じて、２本の扉用ネジ２４で固定する。
【００３３】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【図面の簡単な説明】
【００３４】
【図１】本発明の実施形態に係る基地局装置の外観を示す斜視図である。
【図２】本発明の実施形態に係る基地局装置の外観を示す側面図である。
【図３】本発明の実施形態に係る基地局装置の外観を示す下面図である。
【図４】本発明の実施形態に係る基地局装置の分解斜視図である。
【図５】本発明の実施形態に係る基地局装置のメンテナンス扉を開放した状態を示す図である。
【符号の説明】
【００３５】
１    ベースプレート
２    ベース平面
３    放熱フィン
４    パッキン溝
５    防水パッキン
６    電子回路ユニット
７    取り付け金具
８    取り付け穴
１１    ケース
１２    コネクタ
１３    メンテナンス窓
１４    メンテナンスプレート
１５    蝶番
２１    メンテナンス扉
２２    扉用一次パッキン
２３    扉用二次パッキン
２４    扉用ネジ
２５    呼吸穴
２６    微孔性キャップ
２７    呼吸穴カバー
【図１】
2010147208.tif 000003
【図２】
2010147208.tif 000004
【図３】
2010147208.tif 000005
【図４】
2010147208.tif 000006
【図５】
2010147208.tif 000007